(57)【特許請求の範囲】
【請求項１】
複数の放射線検出素子をアレイ状に配列した放射線検出素子アレイで放射線源から照射される放射線を検出するとともに前記放射線検出素子アレイの両端部にそれぞれ位置する放射線検出素子の検出信号に基づいてレファレンス信号を生成するレファレンス信号生成方法であって、
前記放射線検出素子アレイの両端部にそれぞれ位置する前記放射線検出素子のうちの少なくとも一端部の放射線検出素子の検出信号の値が規定値以上でありかつ前記放射線検出素子アレイの両端部にそれぞれ位置する前記放射線検出素子の検出信号の値の比が実質的に１となり、いずれの検出信号も正常と判定された場合は、前記放射線検出素子アレイの両端部にそれぞれ位置する前記放射線検出素子の検出信号の平均値をレファレンス信号とし、
前記放射線検出素子アレイの両端部にそれぞれ位置する前記放射線検出素子のうちの少なくとも一端部の放射線検出素子の検出信号の値が規定値以上でありかつ前記放射線検出素子アレイの両端部にそれぞれ位置する前記放射線検出素子の検出信号の値の比が実質的に１となり、いずれか一方の検出信号のみが正常と判定された場合は前記放射線検出素子アレイの両端部にそれぞれ位置する前記放射線検出素子の検出信号のうち値が大きいほうをレファレンス信号とする、
ことを特徴とするレファレンス信号生成方法。
【請求項２】
複数の放射線検出素子をアレイ状に配列した放射線検出素子アレイで放射線源から照射される放射線を検出するとともに前記放射線検出素子アレイの両端部にそれぞれ位置する放射線検出素子の検出信号に基づいてレファレンス信号を生成するレファレンス信号生成装置であって、
前記放射線検出素子アレイの両端部にそれぞれ位置する前記放射線検出素子のうちの少なくとも一端部の放射線検出素子の検出信号の値が規定値以上であるか否かを判定する第１の判定手段と、
前記放射線検出素子アレイの両端部にそれぞれ位置する前記放射線検出素子の検出信号の値の比が実質的に１であるか否かを判定することにより、いずれの検出信号も正常か否かを判定する第２の判定手段と、
前記第１の判定手段および前記第２の判定手段の判定結果が共に「真」である場合は前記放射線検出素子アレイの両端部にそれぞれ位置する前記放射線検出素子の検出信号の平均値をレファレンス信号とし、前記第１の判定手段の判定結果が「真」であり前記第２の判定手段の判定結果が「偽」である場合は前記放射線検出素子アレイの両端部にそれぞれ位置する前記放射線検出素子の検出信号のうち値が大きいほうをレファレンス信号とするレファレンス信号生成手段と、
を具備することを特徴とするレファレンス信号生成装置。
【請求項３】
放射線ビームを照射する放射線照射手段と、複数の放射線検出素子をアレイ状に配列した放射線検出素子アレイを有し前記放射線照射手段から照射される放射線を検出する放射線検出手段と、
前記放射線検出素子アレイの両端部にそれぞれ位置する前記放射線検出素子のうちの少なくとも一端部の放射線検出素子の検出信号の値が規定値以上であるか否かを判定することにより、いずれの検出信号も正常か否かを判定する第１の判定手段と、
前記放射線検出素子アレイの両端部にそれぞれ位置する前記放射線検出素子の検出信号の値の比が実質的に１であるか否かを判定する第２の判定手段と、前記第１の判定手段および前記第２の判定手段の判定結果が共に「真」である場合は前記放射線検出素子アレイの両端部にそれぞれ位置する前記放射線検出素子の検出信号の平均値をレファレンス信号とし、前記第１の判定手段の判定結果が「真」であり前記第２の判定手段の判定結果が「偽」である場合は前記放射線検出素子アレイの両端部にそれぞれ位置する前記放射線検出素子の検出信号のうち値が大きいほうをレファレンス信号とするレファレンス信号生成手段と、
前記レファレンス信号生成手段によって生成されたレファレンス信号に基づいて前記放射線検出手段の検出信号を補正する補正手段と、
前記補正手段によって補正された前記放射線検出手段の複数ビューの放射線検出信号に基づいて前記放射線ビームの通過領域についての断層像を生成する断層像生成手段と、
を具備することを特徴とする放射線断層撮影装置。
【発明の詳細な説明】
【０００１】
【発明の属する技術分野】
本発明は、レファレンス（ｒｅｆｅｒｅｎｃｅ）信号生成方法および装置並びに放射線断層撮影装置に関し、特に、放射線検出器の検出信号を補正するためのレファレンス信号を生成する方法および装置、並びに、レファレンス信号生成装置を備えた放射線断層撮影装置に関する。
【０００２】
【従来の技術】
放射線断層撮影装置の一例として、例えば、Ｘ線ＣＴ（ｃｏｍｐｕｔｅｄ  ｔｏｍｏｇｒａｐｈｙ）装置がある。Ｘ線ＣＴ装置においては、放射線としてはＸ線が利用される。Ｘ線発生にはＸ線管あるいは線形加速器が使用される。そして、放射線照射・検出装置すなわちＸ線照射・検出装置を被検体の周りで回転（スキャン（ｓｃａｎ））させて、被検体の周囲の複数のビュー（ｖｉｅｗ）方向でそれぞれＸ線による被検体の投影データ（ｄａｔａ）を測定し、それら投影データに基づいて断層像を生成（再構成）するようになっている。
【０００３】
Ｘ線照射装置は、撮影範囲を包含する幅を持ちそれに垂直な方向に所定の厚みを持つＸ線ビーム（ｂｅａｍ）を照射する。Ｘ線検出装置は、Ｘ線ビームの進行方向に垂直に多数のＸ線検出素子をアレイ（ａｒｒａｙ）状に配列してなる多チャンネル（ｃｈａｎｎｅｌ）のＸ線検出器によってＸ線を検出する。
【０００４】
Ｘ線検出器の両端部の幾つかのＸ線検出素子は、被検体が投影される範囲の外となるように配置され、Ｘ線ビームが直接照射されるようになっている。これらＸ線検出素子はレファレンスチャンネル（ｒｅｆｅｒｅｎｃｅ  ｃｈａｎｎｅｌ）と呼ばれる。レファレンスチャンネルの検出信号は、Ｘ線ビームの強度を表すレファレンス信号として測定データのＸ線強度補正に利用される。Ｘ線強度補正にはＸ線検出器の両端部で検出したレファレンス信号の平均値を用いるようにしている。
【０００５】
【発明が解決しようとする課題】
上記の場合、両端部のレファレンスチャンネルのいずれか一方が被検体で遮られただけでレファレンス信号が不正確になり、測定データのＸ線強度補正に誤差を生じ、再構成画像にアーチファクト（ａｒｔｉｆａｃｔ）を生じる原因となるという問題があった。
【０００６】
本発明は上記の問題点を解決するためになされたもので、その目的は、レファレンス信号を正しく生成するレファレンス信号生成方法および装置、並びに、そのようなレファレンス信号生成装置を備えた放射線断層撮影装置を実現することである。
【０００７】
【課題を解決するための手段】
（１）上記の課題を解決する第１の発明は、複数の放射線検出素子をアレイ状に配列した放射線検出素子アレイで放射線源から照射される放射線を検出するとともに前記放射線検出素子アレイの両端部にそれぞれ位置する放射線検出素子の検出信号に基づいてレファレンス信号を生成するレファレンス信号生成方法であって、前記放射線検出素子アレイの両端部にそれぞれ位置する前記放射線検出素子のうちの少なくとも一端部の放射線検出素子の検出信号の値が規定値以上でありかつ前記放射線検出素子アレイの両端部にそれぞれ位置する前記放射線検出素子の検出信号の値の比が実質的に１である場合は、前記放射線検出素子アレイの両端部にそれぞれ位置する前記放射線検出素子の検出信号の平均値をレファレンス信号とし、前記放射線検出素子アレイの両端部にそれぞれ位置する前記放射線検出素子のうちの少なくとも一端部の放射線検出素子の検出信号の値が規定値以上でありかつ前記放射線検出素子アレイの両端部にそれぞれ位置する前記放射線検出素子の検出信号の値の比が実質的に１でない場合は前記放射線検出素子アレイの両端部にそれぞれ位置する前記放射線検出素子の検出信号のうち値が大きいほうをレファレンス信号とする、ことを特徴とするレファレンス信号生成方法である。
【０００８】
（２）上記の課題を解決する第２の発明は、複数の放射線検出素子をアレイ状に配列した放射線検出素子アレイで放射線源から照射される放射線を検出するとともに前記放射線検出素子アレイの両端部にそれぞれ位置する放射線検出素子の検出信号に基づいてレファレンス信号を生成するレファレンス信号生成装置であって、前記放射線検出素子アレイの両端部にそれぞれ位置する前記放射線検出素子のうちの少なくとも一端部の放射線検出素子の検出信号の値が規定値以上であるか否かを判定する第１の判定手段と、前記放射線検出素子アレイの両端部にそれぞれ位置する前記放射線検出素子の検出信号の値の比が実質的に１であるか否かを判定する第２の判定手段と、前記第１の判定手段および前記第２の判定手段の判定結果が共に「真」である場合は前記放射線検出素子アレイの両端部にそれぞれ位置する前記放射線検出素子の検出信号の平均値をレファレンス信号とし、前記第１の判定手段の判定結果が「真」であり前記第２の判定手段の判定結果が「偽」である場合は前記放射線検出素子アレイの両端部にそれぞれ位置する前記放射線検出素子の検出信号のうち値が大きいほうをレファレンス信号とするレファレンス信号生成手段と、を具備することを特徴とするレファレンス信号生成装置である。
【０００９】
（３）上記の課題を解決する第３の発明は、放射線ビームを照射する放射線照射手段と、複数の放射線検出素子をアレイ状に配列した放射線検出素子アレイを有し前記放射線照射手段から照射される放射線を検出する放射線検出手段と、前記放射線検出素子アレイの両端部にそれぞれ位置する前記放射線検出素子のうちの少なくとも一端部の放射線検出素子の検出信号の値が規定値以上であるか否かを判定する第１の判定手段と、前記放射線検出素子アレイの両端部にそれぞれ位置する前記放射線検出素子の検出信号の値の比が実質的に１であるか否かを判定する第２の判定手段と、前記第１の判定手段および前記第２の判定手段の判定結果が共に「真」である場合は前記放射線検出素子アレイの両端部にそれぞれ位置する前記放射線検出素子の検出信号の平均値をレファレンス信号とし、前記第１の判定手段の判定結果が「真」であり前記第２の判定手段の判定結果が「偽」である場合は前記放射線検出素子アレイの両端部にそれぞれ位置する前記放射線検出素子の検出信号のうち値が大きいほうをレファレンス信号とするレファレンス信号生成手段と、前記レファレンス信号生成手段によって生成されたレファレンス信号に基づいて前記放射線検出手段の検出信号を補正する補正手段と、前記補正手段によって補正された前記放射線検出手段の複数ビューの放射線検出信号に基づいて前記放射線ビームの通過領域についての断層像を生成する断層像生成手段と、を具備することを特徴とする放射線断層撮影装置である。
【００１０】
第３の発明において、前記放射線ビームはファンビームであることが、ビューデータを能率よく収集する点で好ましい。
（作用）
本発明では、放射線検出素子アレイの両端のレファレンスチャンネルの信号に異常がないときはそれらの平均値をレファレンス信号とし、いずれか一方が異常な場合は正常なほうを自動選択する。
【００１１】
【発明の実施の形態】
以下、図面を参照して本発明の実施の形態を詳細に説明する。なお、本発明は実施の形態に限定されるものではない。図１にＸ線ＣＴ装置のブロック（ｂｌｏｃｋ）図を示す。本装置は本発明の放射線断層撮影装置の実施の形態の一例である。本装置の構成によって、本発明の装置に関する実施の形態の一例が示される。本装置の動作によって、本発明の方法に関する実施の形態の一例が示される。
【００１２】
図１に示すように、本装置は、走査ガントリ（ｇａｎｔｒｙ）２と、撮影テーブル４と、操作コンソール（ｃｏｎｓｏｌｅ）６を備えている。走査ガントリ２は、放射線源としてのＸ線管２０を有する。Ｘ線管２０は、本発明における放射線源の実施の形態の一例である。Ｘ線管２０から放射された図示しないＸ線は、コリメータ２２により例えば扇状のＸ線ビームすなわちファンビーム（ｆａｎｂｅａｍ）となるように成形され、検出器アレイ２４に照射されるようになっている。Ｘ線管２０とコリメータ２２は、本発明における放射線照射手段の実施の形態の一例である。
【００１３】
検出器アレイ２４は、本発明における放射線検出素子アレイの実施の形態の一例である。また、本発明における放射線検出手段の実施の形態の一例である。検出器アレイ２４は、扇状のＸ線ビームの幅の方向にアレイ状に配列された複数のＸ線検出素子を有する。検出器アレイ２４の構成については後にあらためて説明する。
【００１４】
Ｘ線管２０、コリメータ２２および検出器アレイ２４は、Ｘ線照射・検出装置を構成する。Ｘ線照射・検出装置の構成については後にあらためて説明する。検出器アレイ２４にはデータ収集部２６が接続されている。データ収集部２６は検出器アレイ２４の個々のＸ線検出素子の検出データを収集するようになっている。
【００１５】
Ｘ線管２０からのＸ線の照射は、Ｘ線コントローラ（ｃｏｎｔｒｏｌｌｅｒ）２８によって制御されるようになっている。なお、Ｘ線管２０とＸ線コントローラ２８との接続関係については図示を省略する。コリメータ２２は、コリメータコントローラ３０によって制御されるようになっている。なお、コリメータ２２とコリメータコントローラ３０との接続関係については図示を省略する。
【００１６】
以上のＸ線管２０乃至コリメータコントローラ３０が、走査ガントリ２の回転部３２に搭載されている。回転部３２の回転は、回転コントローラ３４によって制御されるようになっている。なお、回転部３２と回転コントローラ３４との接続関係については図示を省略する。
【００１７】
撮影テーブル４は、図示しない被検体を走査ガントリ２のＸ線照射空間に搬入および搬出するようになっている。被検体とＸ線照射空間との関係については後にあらためて説明する。
【００１８】
操作コンソール６は、中央処理装置６０を有している。中央処理装置６０は、本発明における第１の判定手段の実施の形態の一例である。また、本発明における第２の判定手段の実施の形態の一例である。また、本発明におけるレファレンス信号生成手段の実施の形態の一例である。また、本発明における補正手段の実施の形態の一例である。また、本発明における断層像生成手段の実施の形態の一例である。
【００１９】
中央処理装置６０は、例えばコンピュータ（ｃｏｍｐｕｔｅｒ）等によって構成される。中央処理装置６０には、制御インタフェース（ｉｎｔｅｒｆａｃｅ）６２が接続されている。制御インタフェース６２には、走査ガントリ２と撮影テーブル４が接続されている。
【００２０】
中央処理装置６０は制御インタフェース６２を通じて走査ガントリ２および撮影テーブル４を制御するようになっている。走査ガントリ２内のデータ収集部２６、Ｘ線コントローラ２８、コリメータコントローラ３０および回転コントローラ３４が制御インタフェース６２を通じて制御される。なお、それら各部と制御インタフェース６２との個別の接続については図示を省略する。
【００２１】
中央処理装置６０には、また、データ収集バッファ６４が接続されている。データ収集バッファ６４には、走査ガントリ２のデータ収集部２６が接続されている。データ収集部２６で収集されたデータがデータ収集バッファ６４に入力される。データ収集バッファ６４は、入力データを一時的に記憶する。中央処理装置６０には、また、記憶装置６６が接続されている。記憶装置６６は、各種のデータや再構成画像およびプログラム（ｐｒｏｇｒａｍ）等を記憶する。
【００２２】
中央処理装置６０には、また、表示装置６８と操作装置７０がそれぞれ接続されている。表示装置６８は、中央処理装置６０から出力される再構成画像やその他の情報を表示するようになっている。操作装置７０は、操作者によって操作され、各種の指示や情報等を中央処理装置６０に入力するようになっている。
【００２３】
図２に、検出器アレイ２４の模式的構成を示す。検出器アレイ２４は、多数（例えば１０００個）のＸ線検出素子２４（ｉ）を円弧状に配列した多チャンネルのＸ線検出器を形成している。ｉはチャンネル番号であり例えばｉ＝１〜１０００である。Ｘ線検出素子２４（ｉ）は、本発明における放射線検出素子の実施の形態の一例である。検出器アレイ２４の両端部には、それぞれレファレンス用の複数のＸ線検出素子すなわちレファレンスチャンネル１４が設けられている。
【００２４】
図３に、Ｘ線照射・検出装置におけるＸ線管２０とコリメータ２２と検出器アレイ２４の相互関係を示す。なお、図３の（ａ）は正面図、（ｂ）は側面図である。同図に示すように、Ｘ線管２０から放射されたＸ線は、コリメータ２２により扇状のＸ線ビーム４０となるように成形され、検出器アレイ２４に照射されるようになっている。図３の（ａ）においては、扇状のＸ線ビーム４０の広がりすなわちＸ線ビーム４０の幅を示している。図３の（ｂ）では、Ｘ線ビーム４０の厚みを示している。
【００２５】
このようなＸ線ビーム４０の扇面に体軸を交叉させて、例えば図４に示すように、撮影テーブル４に載置された被検体８がＸ線照射空間に搬入される。Ｘ線ビーム４０によってスライスされた被検体８の投影像が検出器アレイ２４に投影される。被検体８のアイソセンタ（ｉｓｏｃｅｎｔｅｒ）におけるＸ線ビーム４０の厚みが、被検体８のスライス厚ｔｈを与える。スライス厚ｔｈは、コリメータ２２のアパーチャによって定まる。
【００２６】
本装置の動作を説明する。図５に、本装置の動作のフロー(flow)図を示す。同図に示すように、ステップ５０２で、操作者は、操作装置７０を通じて撮影条件を設定する。
【００２７】
次に、ステップ５０４で、操作者からの指令の基づきスキャンが行われる。すなわち、中央処理装置６０による制御の下で、Ｘ線管２０とコリメータ２２と検出器アレイ２４とからなるＸ線照射・検出装置がそれらの相互関係を保ったまま被検体８の体軸の周りを回転（スキャン）し、スキャンの１回転当たり複数（例えば１０００）のビュー角度で被検体の投影データを収集する。投影データの収集は、検出器アレイ２４−データ収集部２６−データ収集バッファ６４の系統によって行われる。
【００２８】
次に、ステップ５０６で、中央処理装置６０が収集された投影データの前処理を行う。前処理の中には、対数変換、レファレンスチャンネル１４の検出信号に基づく測定データのＸ線強度補正およびその他オフセット補正や感度補正等所定の補正が含まれる。なお、Ｘ線強度補正の詳細については後にあらためて説明する。
【００２９】
次に、ステップ５０８で、中央処理装置６０が断層像の生成すなわち画像再構成を行なう。画像再構成は、１回転のスキャンで得られた例えば１０００ビューの投影データを、例えばフィルタード・バックプロジェクション（ｆｉｌｔｅｒｅｄ  ｂａｃｋｐｒｏｊｅｃｔｉｏｎ）法等によって処理することにより行われる。再構成画像は、記憶装置６６に記憶され、また、ステップ５１０で、表示装置６８により可視像として表示される。
【００３０】
ステップ５０６における前処理の詳細なフロー図を図６に示す。同図に示すように、ステップ６０２で、検出器アレイ２４の両端部にあるレファレンスチャンネル１４でそれぞれ得たレファレンス信号ＲＥＦａおよびＲＥＦｂについて、それらのいずれかが、所定の基準値ＲＥＦ以上の値であるかどうかを判定する。なお、基準値ＲＥＦの値は、Ｘ線ビーム４０の強度およびレファレンスチャンネル１４の感度が正常なときに得られる筈のレファレンス信号の値のたとえば９０％としてある。
【００３１】
レファレンス信号ＲＥＦａおよびＲＥＦｂは、それぞれ、検出器アレイ２４の両端部におけるレファレンスチャンネル１４の検出信号の平均値とすることが、ノイズの影響が少ないレファレンス信号を得る点で好ましい。
【００３２】
レファレンス信号ＲＥＦａおよびＲＥＦｂのどちらも基準値ＲＥＦに達しないと判定した場合は、ステップ６０４で表示装置６８にレファレンス異常の表示を行い、以後の処理を続行する。
【００３３】
レファレンス信号ＲＥＦａまたはＲＥＦｂのどちらかが基準値ＲＥＦ以上であると判定した場合、すわなち、判定結果が「真」（Ｙｅｓ）である場合は、ステップ６０６でレファレンス信号ＲＥＦａとＲＥＦｂの比を求め、この比と１との差の絶対値が所定の誤差ｅ以内であるかどうかを判定する。所定の誤差ｅの値は例えば０．１とされる。これによってレファレンス信号ＲＥＦａとＲＥＦｂの比が実質的に１であるかどうかが判定される。なお、基準値ＲＥＦおよび誤差ｅは必ずしも上記値でなくても、本発明の効果は発揮できる。
【００３４】
レファレンス信号ＲＥＦａとＲＥＦｂの比が実質的に１であるとき、すわなち、判定結果が「真」（Ｙｅｓ）であるときは、ステップ６０８でレファレンス信号ＲＥＦａとＲＥＦｂの平均値を求めてこれをレファレンス値とする。レファレンス信号ＲＥＦａとＲＥＦｂの比が実質的に１になるのは、例えば図７に示すように、検出器アレイ２４の両端部におけるレファレンスチャンネル１４に、Ｘ線ビーム４０が正常に照射されているときであるから、レファレンス信号ＲＥＦａとＲＥＦｂはいずれも正常であり、それらの平均値をレファレンス値として差し支えない。なお、平均値に限らず、ＲＥＦａとＲＥＦｂのＭＯＤ（ｍｉｄｄｌｅｏｆ  ｄａｔａ）値すなわち中間値を採用しても良いのはもちろんである。本明細書では、前述の加算平均値に加えＭＯＤ値および乗算平均値をも広義の平均値の範疇に含めるものとする。
【００３５】
レファレンス信号ＲＥＦａとＲＥＦｂの比が実質的に１でないとき、すわなち、判定結果が「偽」（Ｎｏ）であるときは、ステップ６１０でレファレンス信号ＲＥＦａとＲＥＦｂのうちの値が大きいほうを選び、これをレファレンス値とする。レファレンス信号ＲＥＦａとＲＥＦｂの比が実質的に１でないのは、例えば図８に示すように、検出器アレイ２４の一端部（図における右端部）ではレファレンスチャンネル１４にＸ線ビーム４０が正常に照射されたものの、他端部（図における左端部）ではレファレンスチャンネル１４が被検体８で遮られたときである。このような場合は被検体８で遮られたほうは基準値ＲＥＦより小さなＸ線検出信号を生じる。そこで、値の大きいほうを選ぶことにより、正常なレファレンス信号が得られるようにしている。
【００３６】
このようにして、検出器アレイ２４の両端部におけるレファレンスチャンネル１４の少なくともどちらか一方にＸ線ビームが正常に照射する限りは、正常なレファレンス信号を得ることができる。
【００３７】
次に、ステップ６１２で、上記のように求められたレファレンス信号を用いて測定データにつきＸ線強度補正を行う。レファレンス信号は正常な信号が得られるので、Ｘ線強度補正は正しく行うことができ、再構成画像におけるアーチファクトの発生をなくすることができる。Ｘ線強度補正は、例えば対数変換後ならばレファレンス信号から測定データを引き算することによって行う。あるいは、対数変換前ならば、測定データの値でレファレンス信号の値を除算することにより行う。
【００３８】
以上、放射線断層撮影装置が医用のＸ線ＣＴ装置である例について説明したが、医用に限るものではなく、例えば材料の非破壊試験等を行うのに用いる産業用のＸ線ＣＴ装置等であっても良いのはいうまでもない。その場合のＸ線ＣＴ装置は、上記のようなローティト・ローティト（ｒｏｔａｔｅ−ｒｏｔａｔｅ）方式のいわゆる第３世代のＸ線ＣＴ装置に限らず、トランスレート・ローティト（ｔｒａｎｓｌａｔｅ−ｒｏｔａｔｅ）方式のいわゆる第２世代のＸ線ＣＴ装置であっても良いのはもちろんである。
【００３９】
また、放射線としてＸ線を用いた例について説明したが、放射線はＸ線に限るものではなく、例えばγ線等の他の種類の放射線であっても良い。ただし、現時点では、Ｘ線がその発生、検出および制御等に関し実用的な手段が最も充実している点で好ましい。
【００４０】
【発明の効果】
以上詳細に説明したように、本発明によれば、レファレンス信号を正しく生成するレファレンス信号生成方法および装置、並びに、そのようなレファレンス信号生成装置を備えた放射線断層撮影装置を実現することができる。
【図面の簡単な説明】
【図１】本発明の実施の形態の一例の装置のブロック図である。
【図２】本発明の実施の形態の一例の装置における検出器アレイの模式的構成図である。
【図３】本発明の実施の形態の一例の装置におけるＸ線照射・検出装置の模式的構成図である。
【図４】本発明の実施の形態の一例の装置におけるＸ線照射・検出装置の模式的構成図である。
【図５】本発明の実施の形態の一例の装置の動作のフロー図である。
【図６】本発明の実施の形態の一例の装置の動作のフロー図である。。
【図７】本発明の実施の形態の一例の装置におけるレファレンス信号検出状態を示す模式図である。
【図８】本発明の実施の形態の一例の装置におけるレファレンス信号検出状態を示す模式図である。
【符号の説明】
２  走査ガントリ
２０  Ｘ線管
２２  コリメータ
２４  検出器アレイ
２４（ｉ）  Ｘ線検出素子
２６  データ収集部
２８  Ｘ線コントローラ
３０  コリメータコントローラ
３２  回転部
３４  回転コントローラ
４  撮影テーブル
６  操作コンソール
６０  中央処理装置
６２  制御インタフェース
６４  データ収集バッファ
１４  レファレンスチャンネル
４０  Ｘ線ビーム
８  被検体
【図１】
0004064541.tif 000002
【図２】
0004064541.tif 000003
【図３】
0004064541.tif 000004
【図４】
0004064541.tif 000005
【図５】
0004064541.tif 000006
【図６】
0004064541.tif 000007
【図７】
0004064541.tif 000008
【図８】
0004064541.tif 000009